(57)【要約】      （修正有）【課題】タッチ入力装置の表面に入力されるタッチの圧力に反応して画面を制御することにより、ユーザの機器操作性を向上させるタッチ入力装置及びその制御方法を提供する。【解決手段】タッチ入力装置１００は、画面１１００が消えた状態で、ユーザによりタッチ入力装置の表面に入力されるタッチの圧力の大きさを感知する。感知される圧力の大きさが臨界値以上であれば、画面１１００にあらかじめ設定された情報を表示する。また、画面１１００に情報が表示されている状態で、感知される圧力の大きさに基づいて画面１１００の明るさを調節する。【選択図】図４
2018160239.tif 000002
【特許請求の範囲】
【請求項１】
タッチの圧力を感知することができるタッチ入力装置における制御方法において、
前記タッチ入力装置の画面が消えた状態で、前記タッチ入力装置の表面に入力されるタッチの圧力の大きさを感知する、感知段階と、
感知される前記圧力の大きさが臨界値以上であれば、前記画面にあらかじめ設定された情報を表示する、情報表示段階と、
前記画面に前記情報が表示されている状態で、感知される前記圧力の大きさに基づいて前記画面の明るさを調節する、画面調節段階と、
を含む、タッチ入力装置の制御方法。
【請求項２】
前記画面調節段階は、感知される前記圧力の大きさが前記臨界値以上である場合に前記画面の明るさを調節する、請求項１に記載のタッチ入力装置の制御方法。
【請求項３】
前記画面調節段階は、感知される前記圧力の大きさが最大圧力値に到達した以降には、前記最大圧力値が維持される時間に基づいて前記画面の明るさを増加させる、請求項１に記載のタッチ入力装置の制御方法。
【請求項４】
前記画面調節段階は、感知される前記圧力の大きさに基づいて前記画面の明るさと共に前記情報の大きさを調節する、請求項１に記載のタッチ入力装置の制御方法。
【請求項５】
タッチの圧力を感知することができるタッチ入力装置における制御方法において、
前記タッチ入力装置の画面が消えた状態で、前記タッチ入力装置の表面に入力されるタッチの圧力の大きさを感知する、感知段階と、
感知される前記圧力の大きさが臨界値以上であれば、前記画面にあらかじめ設定された情報を表示する、情報表示段階と、
前記画面に前記情報が表示されている状態で、感知される前記圧力の大きさに基づいて前記情報の大きさを調節する、画面調節段階と、
を含む、タッチ入力装置の制御方法。
【請求項６】
前記画面調節段階は、感知される前記圧力の大きさが前記臨界値以上である場合に前記情報の大きさを調節する、請求項１または５に記載のタッチ入力装置の制御方法。
【請求項７】
前記画面に前記情報が表示されている状態で、前記タッチの位置が感知されなければ、前記画面を消す段階をさらに含む、請求項１または５に記載のタッチ入力装置の制御方法。
【請求項８】
前記画面に前記情報が表示されている状態で、前記タッチの位置が感知されなければ、あらかじめ設定された時間以降に前記画面を消す段階をさらに含む、請求項１または５に記載のタッチ入力装置の制御方法。
【請求項９】
前記あらかじめ設定された時間は、リリース動作時間の直前に感知された前記圧力の大きさに基づいて決定された、請求項８に記載のタッチ入力装置の制御方法。
【請求項１０】
前記感知段階は、前記タッチの種類を感知し、前記タッチがマルチタッチであれば前記マルチタッチの圧力の大きさを感知し、
前記情報表示段階は、前記マルチタッチの圧力の大きさのうち最大圧力の大きさ又は前記マルチタッチの圧力の大きさの合算値が前記臨界値以上であれば、前記画面に前記情報又は前記情報と異なる情報を表示する、請求項１または５に記載のタッチ入力装置の制御方法。
【請求項１１】
前記感知段階は、前記タッチの位置を感知し、
前記情報表示段階は、表示される前記情報が感知される前記タッチの位置と重ならないように前記情報を前記画面に表示する、請求項１または５に記載のタッチ入力装置の制御方法。
【請求項１２】
タッチの圧力を感知することができるタッチ入力装置において、
ディスプレイ部と、
前記ディスプレイ部の画面が消えた状態で、前記ディスプレイ部の表面に入力されるタッチの圧力に対応する信号を出力する、圧力感知部と、
前記圧力感知部から出力される信号に基づいて前記タッチの圧力の大きさを算出し、前記圧力の大きさが臨界値以上であれば前記画面にあらかじめ設定された情報を表示し、前記圧力の大きさに基づいて前記画面の明るさを調節する、制御部と、
を含む、タッチ入力装置。
【請求項１３】
前記制御部は、感知される前記圧力の大きさが前記臨界値を超過した場合に前記画面の明るさを調節する、請求項１２に記載のタッチ入力装置。
【請求項１４】
前記制御部は、感知される前記圧力の大きさが最大圧力値に到達した以降には、前記最大圧力値が維持される時間に基づいて前記画面の明るさを増加させる、請求項１２に記載のタッチ入力装置。
【請求項１５】
前記制御部は、感知される前記圧力の大きさに基づいて前記画面の明るさと共に前記情報の大きさを調節する、請求項１２に記載のタッチ入力装置。
【請求項１６】
タッチの圧力を感知することができるタッチ入力装置において、
ディスプレイ部と、
前記ディスプレイ部の画面が消えた状態で、前記ディスプレイ部の表面に入力されるタッチの圧力に対応する信号を出力する、圧力感知部と、
前記圧力感知部から出力される信号に基づいて前記タッチの圧力の大きさを算出し、前記圧力の大きさが臨界値以上であれば前記画面にあらかじめ設定された情報を表示し、前記圧力の大きさに基づいて前記情報の大きさを調節する、制御部と、
を含む、タッチ入力装置。
【請求項１７】
前記制御部は、感知される前記圧力の大きさが前記臨界値を超過した場合に前記情報の大きさを調節する、請求項１６に記載のタッチ入力装置。
【請求項１８】
前記制御部は、前記画面に前記情報が表示されている状態で、前記タッチの位置が感知されなければ、前記画面を消す、請求項１２または１６に記載のタッチ入力装置。
【請求項１９】
前記制御部は、前記画面に前記情報が表示されている状態で、前記タッチの位置が感知されなければ、あらかじめ設定された時間以降に前記画面を消す、請求項１２または１６に記載のタッチ入力装置。
【請求項２０】
前記あらかじめ設定された時間は、リリース動作時間の直前に感知された前記圧力の大きさに基づいて決定された、請求項１９に記載のタッチ入力装置。
【請求項２１】
前記制御部は、前記タッチの種類を感知し、
前記制御部は、前記タッチがマルチタッチである場合に、前記マルチタッチの圧力の大きさを感知し、前記マルチタッチの圧力の大きさのうち最大圧力の大きさ又は前記マルチタッチの圧力の大きさの合算値が前記臨界値以上であれば、前記画面に前記情報又は前記情報と異なる情報を表示する、請求項１２または１６に記載のタッチ入力装置。
【請求項２２】
前記制御部は、前記タッチの位置を感知し、
前記制御部は、表示される前記情報が感知される前記タッチの位置と重ならないように前記情報を前記画面に表示する、請求項１２または１６に記載のタッチ入力装置。
【発明の詳細な説明】
【技術分野】
【０００１】
本発明は、タッチ入力装置及びその制御方法に関するもので、より詳しくは、タッチ、タッチの位置、及びタッチの圧力を感知することができるタッチ入力装置の表面に入力されるタッチの圧力に反応して画面を制御することにより、ユーザの機器操作性を向上させることができるタッチ入力装置及びその制御方法に関する。
【背景技術】
【０００２】
スマートフォン、タブレットＰＣ、ノートパソコン、ナビゲーション装置、キオスク（KIOSK）などのようなコンピューティングシステムの操作のために多様な種類の入力装置が用いられている。
【０００３】
多様な種類の入力装置のうちでもタッチスクリーンは容易で手軽な操作性によりコンピューティングシステムにおける利用が増加している。また、ノートパソコンにおいては、タッチパネルを用いてモニターに表示された画面やプログラムの実行を制御するように構成している。このようなタッチ感知手段を用いれば、ユーザインタフェースが簡便になる。
【０００４】
消えた画面（または、非活性化された画面）を点けるにあたって、タッチ感知手段を用いた直観的なインターフェースが従来に使用された一例がある。ユーザが消えた画面上のウインドウの表面を一度タッチした後に、一定時間以内にもう一度タッチする動作をタッチセンサが感知してプロセッサに伝達し、プロセッサがディスプレイを活性化させて消えた画面を点くように制御したものがある。
【０００５】
このような制御方式は、少なくとも二回以上のタッチを遂行しなければならず、二回以上のタッチが一定時間以内になされなければ、消えた画面が点かない不便さが存在する。
【０００６】
また、一般的なタッチで消えた画面を点けるものであるため、ユーザが意図しなかったタッチでも消えた画面が点くという問題が頻繁に発し得る。
【発明の概要】
【発明が解決しようとする課題】
【０００７】
本発明が解決しようとする課題は、ユーザの手軽で直観的な動作で消えた画面を点くようにすることができるタッチ入力装置とこの制御方法を提供することである。
【０００８】
また、本発明が解決しようとする課題は、ユーザの手軽で直観的な動作で画面の明るさも一緒に調節できるタッチ入力装置とこの制御方法を提供することである。
【０００９】
また、本発明が解決しようとする課題は、ユーザの手軽で直観的な動作で点いた画面に表示された情報の大きさも調節できるタッチ入力装置とこの制御方法を提供することである。
【００１０】
また、本発明が解決しようとする課題は、タッチの種類に応じて互いに異なる情報を画面に表示できるタッチ入力装置とこの制御方法を提供することである。
【００１１】
また、本発明が解決しようとする課題は、ユーザの手が画面に表示された情報を遮らないように調節できるタッチ入力装置とこの制御方法を提供することである。
【課題を解決するための手段】
【００１２】
実施形態による制御方法は、タッチの圧力を感知することができるタッチ入力装置における制御方法であって、前記タッチ入力装置の画面が消えた状態で、前記タッチ入力装置の表面に入力されるタッチの圧力の大きさを感知する感知段階と、感知される前記圧力の大きさが臨界値以上であれば、前記画面にあらかじめ設定された情報を表示する情報表示段階と、前記画面に前記情報が表示されている状態で、感知される前記圧力の大きさに基づいて前記画面の明るさを調節する画面調節段階と、を含む。
【００１３】
実施形態による制御方法は、タッチの圧力を感知することができるタッチ入力装置における制御方法であって、前記タッチ入力装置の画面が消えた状態で、前記タッチ入力装置の表面に入力されるタッチの圧力の大きさを感知する感知段階と、感知される前記圧力の大きさが臨界値以上であれば、前記画面にあらかじめ設定された情報を表示する情報表示段階と、前記画面に前記情報が表示されている状態で、感知される前記圧力の大きさに基づいて前記情報の大きさを調節する画面調節段階と、を含む。
【００１４】
実施形態による装置は、タッチの圧力を感知することができるタッチ入力装置であって、ディスプレイ部と、前記ディスプレイ部の画面が消えた状態で、前記ディスプレイ部の表面に入力されるタッチの圧力に対応する信号を出力する圧力感知部と、前記圧力感知部から出力される信号に基づいて前記タッチの圧力の大きさを算出し、前記圧力の大きさが臨界値以上であれば前記画面にあらかじめ設定された情報を表示し、前記圧力の大きさに基づいて前記画面の明るさを調節する制御部と、を含む。
【００１５】
実施形態による装置は、タッチの圧力を感知することができるタッチ入力装置であって、ディスプレイ部と、前記ディスプレイ部の画面が消えた状態で、前記ディスプレイ部の表面に入力されるタッチの圧力に対応する信号を出力する圧力感知部と、前記圧力感知部から出力される信号に基づいて前記タッチの圧力の大きさを算出し、前記圧力の大きさが臨界値以上であれば前記画面にあらかじめ設定された情報を表示し、前記圧力の大きさに基づいて前記情報の大きさを調節する制御部と、を含む。
【発明の効果】
【００１６】
本発明の実施形態によるタッチ入力装置とこの制御方法を用いれば、ユーザの手軽で直観的な動作で消えた画面を点けて、ユーザに迅速な情報を提供することができる利点がある。
【００１７】
また、ユーザの手軽で直観的な動作で画面の明るさも一緒に調節し、ユーザが置かれた多様な環境においてユーザの視認性を向上させることができる利点がある。
【００１８】
また、ユーザの手軽で直観的な動作で点いた画面に表示された情報の大きさも調節し、ユーザの可読性を向上させることができる利点がある。
【００１９】
また、タッチ種類に応じて互いに異なる情報を画面に表示して多様な操作を提供することができる利点がある。
【００２０】
また、ユーザの手が画面に表示された情報を遮らないように調節して、ユーザに情報を正確に伝達させることができる利点がある。
【図面の簡単な説明】
【００２１】
【図１】本発明の実施形態によるタッチ入力装置の機能ブロック図である。
【図２】本発明の実施形態によるタッチ入力装置（１００）の正面図である。
【図３】本発明の実施形態によるタッチ入力装置（１００）の制御方法を説明するための図面である。
【図４】本発明の実施形態によるタッチ入力装置（１００）の制御方法を説明するための図面である。
【図５】本発明の実施形態によるタッチ入力装置（１００）の制御方法を説明するための図面である。
【図６】本発明の実施形態によるタッチ入力装置（１００）の制御方法を説明するための図面である。
【図７】他の実施形態によるタッチ入力装置（１００）の制御方法を説明するための図面である。
【図８】さらに他の実施形態によるタッチ入力装置（１００）の制御方法を説明するための図面である。
【図９】本発明の実施形態による入力装置（１００）の制御方法を説明するためのフローチャートである。
【発明を実施するための形態】
【００２２】
後述する本発明に対する詳細な説明は、本発明を実施することができる特定の実施形態を例示として示す添付の図面を参照する。これらの実施形態は、当業者が本発明を実施するのに十分なように詳細に説明する。本発明の多様な実施形態は互いに異なるが、相互に排他的である必要はないことが理解されなければならない。例えば、ここに記載されている特定の形状、構造及び特性は、一実施形態に関連して本発明の精神及び範囲を外れないながらも他の実施形態で具現され得る。また、それぞれの開示された実施形態内の個別の構成要素の位置又は配置は、本発明の精神及び範囲を外れないながらも変更され得ることが理解されなければならない。したがって、後述する詳細な説明は限定的な意味として取ろうとするのではなく、本発明の範囲は、適切に説明されるならば、その請求項が主張することと均等なすべての範囲とともに添付された請求項によってのみ限定される。図面において類似の参照符号は、様々な側面にわたって同一または類似の機能を指し示す。
【００２３】
以下、添付される図面を参照して、例示的な実施形態によるタッチスクリーンを備えた装置及びその制御方法を説明する。本明細書において説明される装置には、タッチスクリーンが備えられた携帯電話、スマートフォン（smart phone）、ノートパソコン（laptop computer）、デジタル放送用端末装置、ＰＤＡ（personal digital assistants）、ナビゲーション、スレートＰＣ（slate PC）、タブレットＰＣ（tablet PC）、ウルトラブック（ultrabook）、ウェアラブルデバイス（wearable device）、キオスク（KIOSK）などが含まれ得る。
【００２４】
図１は、実施形態によるタッチ入力装置１００の機能ブロック図であって、実施形態によるタッチ入力装置１００がスマートフォンに適用された一つの例を示している。
【００２５】
タッチ入力装置１００は、無線通信部１１０、入力部１２０、センシング部１３０、出力部１５０、メモリ１４０、制御部１８０及び電源供給部１６０などを含み得る。
【００２６】
図１に示された構成要素は、タッチ入力装置１００を具現するにあたって必須のものではなく、本明細書上において説明されるタッチ入力装置は、上で列挙された構成要素より多いか、又は少ない構成要素を有してもよい。
【００２７】
無線通信部１１０は、タッチ入力装置１００と無線通信システムとの間、タッチ入力装置１００と他のタッチ入力装置との間、又は、タッチ入力装置１００と外部サーバとの間の無線通信を可能にする一つ以上のモジュールを含んでもよい。
【００２８】
また、前記無線通信部１１０は、タッチ入力装置１００を一つ以上のネットワークに連結する一つ以上のモジュールを含んでもよい。無線通信部１１０は、移動通信モジュール１１２、無線インターネットモジュール１１３、近距離通信モジュール１１４、位置情報モジュール１１５のうちの少なくとも一つを含んでもよい。
【００２９】
移動通信モジュール１１２は、移動通信のための技術標準または通信方式により構築された移動通信網上において、基地局、外部の端末、サーバのうちの少なくとも一つと無線信号を送受信する。無線インターネットモジュール１１３は、無線インターネット接続のためのモジュールをいい、タッチ入力装置１００に内蔵されたり又は外装されたりしてもよい。
【００３０】
無線インターネットモジュール１１３は、ＷＬＡＮ（Wireless LAN）、Ｗｉ−Ｆｉ（Wireless-Fidelity）などのような無線インターネット技術による通信網で無線信号を送受信するように成される。
【００３１】
近距離通信モジュール１１４は、ブルートゥース（BluetoothTM）、ＲＦＩＤ（Radio Frequency Identification）、赤外線通信（Infrared Data Association；IrDA）、ＺｉｇＢｅｅ、ＮＦＣ（Near Field Communication）などの技術を用いて近距離通信（Short range communication）を支援するためのものである。
【００３２】
位置情報モジュール１１５は、装置の位置（又は、現在の位置）を取得するためのモジュールであって、その代表的な例としては、ＧＰＳ（Global Positioning System）モジュール又はＷｉＦｉ（Wireless Fidelity）モジュールがあるが、装置の位置を直接的に計算したり又は取得したりするモジュールに限定されはしない。
【００３３】
入力部１２０は、映像信号入力のためのカメラ１２１又は映像入力部、オーディオ信号入力のためのマイクロホン（microphone）１２２、又は、オーディオ入力部、ユーザから情報の入力を受けるためのユーザ入力部１２３（例えば、タッチキー（touch key）、プッシュキー（mechanical key）など）を含んでもよい。入力部１２０で収集した音声データやイメージデータは、分析されてユーザの制御命令として処理されてもよい。
【００３４】
カメラ１２１は、ビデオ通話モード又は撮影モードでイメージセンサによって得られる静止映像又は動画などの画像フレームを処理する。処理された画像フレームは、ディスプレイ部１５１に表示されたり又はメモリ１４０に格納されたりしてもよい。
【００３５】
マイクロホン１２２は、外部の音響信号を電気的な音声データとして処理する。処理された音声データは、タッチ入力装置１００において遂行中である機能（又は、実行中である応用プログラム）により多様に活用されてもよい。
【００３６】
ユーザ入力部１２３は、ユーザから情報の入力を受けるためのものであって、ユーザ入力部１２３を介して情報が入力されれば、制御部１８０は入力された情報に対応するようにタッチ入力装置１００の動作を制御することができる。このような、ユーザ入力部１２３は、機械式（mechanical）入力手段（又は、メカニカルキー、例えば、タッチ入力装置１００の前・後面又は側面に位置するボタン、ドームスイッチ（dome switch）、ジョグホイール、ジョグスイッチなど）及びタッチ式入力手段を含んでもよい。
【００３７】
タッチ式入力手段は、ソフトウェア的な処理を通じてディスプレイ部１５１のタッチスクリーンに表示される仮想キー（virtual key）、ソフトキー（soft key）、又は、ビジュアルキー（visual key）から成ったり、又は前記タッチスクリーン以外の部分に配置されるタッチキー（touch key）から成ってもよい。一方、前記仮想キー又はビジュアルキーは、多様な形態を有しつつ前記タッチスクリーン上に表示されることが可能であり、例えば、グラフィック（graphic）、テキスト（text）、アイコン（icon）、ビデオ（video）又はこれらの組み合わせから成ってもよい。
【００３８】
センシング部１３０は、装置内の情報、装置を取り巻く周辺環境の情報、及びユーザ情報のうちの少なくとも一つをセンシングするための一つ以上のセンサを含んでもよい。例えば、センシング部１３０は、近接センサ（proximity sensor）１３１、照度センサ（illumination sensor）１３２だけでなく、タッチセンサ（touch sensor）、圧力センサ（force sensor）、加速度センサ（acceleration sensor）、磁気センサ（magnetic sensor）、重力センサ（G-sensor）、ジャイロスコープセンサ（gyroscope sensor）、モーションセンサ（motion sensor）などを含んでもよい。
【００３９】
出力部１５０は、視覚、聴覚又は触覚などに関連した出力を発生させるためのもので、ディスプレイ部１５１、音響出力部１５２、ハプティックモジュール１５３、光出力部１５４のうちの少なくとも一つを含んでもよい。
【００４０】
ディスプレイ部１５１は、例えば、液晶ディスプレイ（liquid crystal display, LCD）、薄膜トランジスタ液晶ディスプレイ（thin film transistor-liquid crystal display, TFT LCD）、有機発光ダイオード（organic light-emitting diode, OLED）、フレキシブルディスプレイ（flexible display）、３次元ディスプレイ（3D display）、電子インクディスプレイ（e-ink display）などを含んでもよい。
【００４１】
ディスプレイ部１５１は、タッチセンサ又は圧力センサと相互レイヤー構造を成したり又は一体型に形成されることによって、タッチスクリーンを具現することができる。このようなタッチスクリーンは、タッチ入力装置１００とユーザとの間の入力インターフェースを提供するユーザ入力部１２３として機能するとともに、タッチ入力装置１００とユーザとの間の出力インターフェースを提供することができる。
【００４２】
ディスプレイ部１５１は、タッチ方式により制御命令の入力を受けられるように、ディスプレイ部１５１に対するタッチを感知するタッチセンサを含んでもよい。これを用いて、ディスプレイ部１５１に対してタッチが成されれば、タッチセンサは前記タッチを感知し、制御部１８０はこれに基づいて前記タッチに対応する制御命令を発生させるように成されてもよい。タッチ方式により入力される内容は、文字もしくは数字であったり、又は各種モードにおける指示もしくは指定可能なメニュー項目などであってもよい。一方、タッチセンサは、タッチパターンを備えるフィルム形態に構成されてカバーウインドウとディスプレイパネルとの間に配置されたり、又はカバーウインドウの背面に直接パターニングされるメタルワイヤーになってもよい。
【００４３】
実施形態によっては、ディスプレイ部１５１に含まれたタッチセンサは、タッチパネルとタッチパネルから出力される信号を受信するコントローラを含んでもよい。コントローラは、タッチパネルから出力される信号を制御部１８０に伝送することができる。または、コントローラは、タッチパネルから出力される信号をデジタルに変換し、変換されたデジタルデータを制御部１８０に伝送することができる。制御部１８０は、コントローラから提供された信号又はデータに基づいてタッチの有無とタッチの位置を判断することができる。
【００４４】
ディスプレイ部１５１は、タッチ方式により制御命令の入力を受けられるように、ディスプレイ部１５１に対するタッチの圧力（又は、力）を感知する圧力感知部を含んでもよい。これを用いて、ディスプレイ部１５１に対してタッチが成されれば、圧力感知部は前記タッチの圧力を感知し、制御部１８０はこれに基づいて前記タッチの圧力に対応する制御命令を発生させるように成されてもよい。タッチ方式により入力される内容は、文字もしくは数字であったり、又は各種モードにおける指示もしくは指定可能なメニュー項目などであってもよい。一方、圧力感知部は、パターンを備えるフィルム形態で構成されてカバーウインドウとディスプレイパネルとの間に配置されるか、又はディスプレイパネルの背面に配置されるか、又はディスプレイパネルの内部に配置されるか、又はディスプレイパネルの背面上に配置されたミッドフレームもしくはサスに配置されてもよい。
【００４５】
実施形態によっては、ディスプレイ部１５１に含まれた圧力感知部は、圧力センサと圧力センサから出力される信号を受信するコントローラを含んでもよい。コントローラは、圧力センサから出力される信号を制御部１８０に伝送することができる。又は、コントローラは、圧力センサから出力される信号をデジタルに変換し、変換されたデジタルデータを制御部１８０に伝送することができる。制御部１８０は、コントローラから提供された信号又はデータに基づいてタッチの圧力の大きさを判断することができる。
【００４６】
実施形態によっては、ディスプレイ部１５１に含まれた圧力感知部は、タッチ認識層を含み、タッチ認識層が認識するタッチ面積を用いてタッチ圧力の強さを感知することができる。ディスプレイ部１５１上においてユーザが軽く押圧する場合、タッチされる面積は相対的に小さい。そして、ユーザが強く押圧する場合、タッチされる面積は相対的に大きい。タッチ入力装置１００は、タッチされる面積と圧力との関係を用してタッチ圧力を算出することができる。したがって、タッチ入力装置１００は、既に設定された圧力以上のタッチのジェスチャーを認識することができる。
【００４７】
実施形態によっては、ディスプレイ部１５１に含まれた圧力感知部は、圧電素子（piezoeletric element）を含んでもよい。圧電素子は、圧電効果を用いて圧力を感知したり変形／振動を発生させたりする装置をいう。特定固体物質（solid material）に機械的応力（mechanical stress）（正確には、機械的な力または圧力）が与えられて変形が発生すれば、前記固体内部で分極（polarization）が発生して電荷（electric charge）が集積される（accumulate）。集積された電荷は、物質の両電極の間で電気的信号、すなわち電圧の形態で現れる。このような現象を圧電効果（piezoelectric effect）といい、固体物質を圧電物質（piezoelectric material）、そして集積された電荷を圧電気（piezoelectricity）という。タッチ入力装置１００は、圧電効果によって駆動され得る圧電物質からなるレイヤーを含むセンシング部（図示せず）を含んでもよい。センシング部は、加えられた機械的エネルギー（力または圧力）及びこれによる変形によって発生する電気的エネルギー（一種の電気的信号である電圧）を検出（detect）することができ、このような検出された電圧に基づいて加えられた機械的な力または圧力を感知することができる。
【００４８】
実施形態によっては、ディスプレイ部１５１に含まれた圧力感知部は３個以上の圧力センサを含んでもよい。３個以上の圧力センサは、ディスプレイ部１５１の領域にレイヤーを異にして配置されてもよく、ベゼル領域に配置されてもよい。ユーザがディスプレイ部１５１をタッチすれば、圧力センサは加えられる圧力の大きさをセンシングすることができる。圧力センサで感知される圧力の強さは、タッチ地点と距離に反比例し得る。そして、圧力センサで感知される圧力の強さは、タッチ圧力に比例し得る。タッチ入力装置１００は、各圧力センサで感知される圧力の強さを用いてタッチ地点及び実際のタッチ圧力の強さを算出することができる。又は、タッチ入力装置１００は、タッチ入力を感知するタッチ入力層を含んでタッチ地点を検出することができる。タッチ入力装置１００は、検出されたタッチ地点及び各圧力センサで感知される圧力の強さを用いてタッチ地点のタッチ圧力の強さを算出することもできる。
【００４９】
このように圧力感知部を構成する方式は多様であり、本発明は特定の圧力感知方式に限定されず、タッチ地点の圧力を直接又は間接的に求めることができる方式であれば、いずれの方式でも適用可能である。
【００５０】
音響出力部１５２は、音楽や音声などのオーディオ信号を出力するためのものとして、レシーバー（receiver）、スピーカー（speaker）、ブザー（buzzer）などが含まれてもよい。ハプティックモジュール（haptic module）１５３は、ユーザが感じることができる多様な触覚効果を発生させる。ハプティックモジュール１５３が発生させる触覚効果の代表的な例としては振動が挙げられる。光出力部１５４は、タッチ入力装置１００の光源の光を用いてイベント発生を知らせるための信号を出力する。タッチ入力装置１００で発生するイベントの例としては、メッセージ受信、着呼受付信号受信、不在着信、アラーム、日程通知、ｅメール受信、アプリケーションを介した情報受信などが挙げられる。
【００５１】
メモリ１４０は、タッチ入力装置１００の多様な機能を支援するデータを格納する。メモリ１４０は、タッチ入力装置１００で駆動される多数の応用プログラム（application program又はアプリケーション（application））、タッチ入力装置１００の動作のためのデータ、命令語を格納することができる。このような応用プログラムのうちの少なくとも一部は、無線通信を介して外部サーバからダウンロードされ得る。また、このような応用プログラムのうちの少なくとも一部は、タッチ入力装置１００の基本的な機能（例えば、電話着信、発信機能、メッセージ受信、発信機能）のために出庫当時からタッチ入力装置１００上に存在し得る。一方、応用プログラムは、メモリ１４０に格納され、タッチ入力装置１００上に設けられて、制御部１８０によって前記装置の動作（又は、機能）を遂行するように駆動されてもよい。
【００５２】
制御部１８０は、前記応用プログラムと関連した動作以外にも、通常的にタッチ入力装置１００の全般的な動作を制御する。制御部１８０は、上で詳しく見てみた構成要素を通じて入力または出力される信号、データ、情報などを処理したり、又はメモリ１４０に格納された応用プログラムを駆動することによって、ユーザに適切な情報または機能を提供または処理することができる。また、制御部１８０は、メモリ１４０に格納された応用プログラムを駆動するために、構成要素のうちの少なくとも一部を制御することができる。さらに、制御部１８０は、前記応用プログラムの駆動のために、タッチ入力装置１００に含まれた構成要素のうちの少なくとも２以上を互いに組み合わせて動作させることができる。
【００５３】
電源供給部１９０は、制御部１８０の制御下において、外部の電源、内部の電源の印加を受けてタッチ入力装置１００に含まれた各構成要素に電源を供給する。このような電源供給部１９０はバッテリを含んでもよく、前記バッテリは内蔵型バッテリ又は交替可能な形態のバッテリであってもよい。
【００５４】
前記各構成要素のうちの少なくとも一部は、以下で説明される多様な実施形態による装置の動作、制御、又は制御方法を具現するために互いに協力して動作することができる。また、前記装置の動作、制御、又は制御方法は、前記メモリ１４０に格納された少なくとも一つの応用プログラムの駆動によって装置上で具現されてもよい。
【００５５】
一方、前記説明では、実施形態によるタッチ入力装置１００がスマートフォンに適用される場合について説明したが、実施形態によるタッチ入力装置１００は、キオスク（KIOSK）のように固定されて設置される装置に適用される場合には無線通信の代わりに有線通信が使用され、カメラとマイクロホンなどが省略されるように変形適用されてもよい。すなわち、実施形態によるタッチ入力装置１００の性格に応じてその構成要素は適切に追加又は省略されて構成されてもよい。
【００５６】
また、図１は、ディスプレイ部１５１にタッチを感知するタッチセンサを含ませた場合を示しているが、以下で説明する一部又は全部の実施形態は、ディスプレイ部１５１にタッチセンサが含まれず、タッチ感知及びタッチ圧力感知のために別途のタッチパネルを備えた装置、例えばノートパソコンのような装置にも適用され得る。以下の説明では、主にタッチスクリーンを備えた装置における動作を記述しているが、別途のタッチパネルを備えた装置にも同様に適用され得る。
【００５７】
以下、いくつかの実施形態を図面を参照して詳細に説明する。
【００５８】
以下の説明において、「Ａに基づいてＢを調節する」というＡ値を考慮してＢ値を調節することを意味するものとして、Ａ値を考慮してＢ値を求める方法としては、例えばＡ値又はＡ値から導き出される値（例：微分値、積分値など）に所定の値を掛けてＢ値を求めたり、Ａ値又はＡ値から導き出される値に対応するＢ値を表の形態でメモリ１４０にあらかじめ格納しておき、この表を参照してＢ値を求めたり、Ａ値からＢ値を計算する所定の計算式を用いてＢ値を求めたり、プログラムコード上でＡ値又はＡ値から導き出される値を所定の条件と比較してそれに応じてＢ値を割り当てるようにするなど、多様な方法が用いられてもよく、実施形態は特定の方法に限定されない。
【００５９】
臨界値（又は、臨界圧力）は適用される装置、応用分野などによって適切に設定することができる。例えば、臨界値を固定された大きさの圧力に設定することができ、この大きさはハードウェア特性、ソフトウェア特性などによって適切に決定することができる。また、臨界値をユーザが設定できるように構成することも可能である。
【００６０】
図２は、実施形態によるタッチ入力装置１００の正面図である。
【００６１】
実施形態によるタッチ入力装置１００が、図２のようにスマートフォンで示されているが、これに限定するわけではない。例えば、タッチ入力装置１００は、タブレット、ノートパソコンなどであってもよい。
【００６２】
実施形態によるタッチ入力装置１００は、画面１１００を有する。画面１１００は、図１に示されたタッチ入力装置１００のディスプレイ部１５１により定義される。画面１１００が点けば、所定の情報が表示される。画面１１００は、タッチ入力装置１００の機械式ボタンによって点くことができる。表示される情報によって画面１１００は、時計画面、ロック画面、背景画面などに切り替えることができる。
【００６３】
実施形態によるタッチ入力装置１００の制御方法は、タッチ入力装置１００の画面１１００が消えた状態で、画面１１００上のカバーウインドウの表面に加えられるユーザのタッチで画面１１００を点けて所定の情報を提供するものである。
【００６４】
具体的な説明に先立ち、図２に示されたタッチ入力装置１００の画面１１００は消えた状態である。ここで、画面１１００が消えた状態というのは、画面１１００に如何なる情報も表示されていない非活性化状態を意味する。そして、画面１１００の消えた状態は、タッチ入力装置１００の電源が切れた状態と区別される。
【００６５】
実施形態によるタッチ入力装置１００の制御方法は、タッチ入力装置１００の画面１１００が消えた状態で、タッチ入力装置１００の表面に入力されるタッチの圧力の大きさを感知する感知段階、感知される圧力の大きさが臨界値以上であれば、画面１１００にあらかじめ設定された情報を表示する情報表示段階、及び画面１１００に情報が表示されている状態において、感知される圧力の大きさに基づいて画面１１００の明るさを調節する画面調節段階を含む。
【００６６】
図３〜図６を参照し、実施形態によるタッチ入力装置１００の制御方法を具体的に説明する。
【００６７】
図３〜図６は、実施形態によるタッチ入力装置１００の制御方法を説明するための図面である。
【００６８】
図３〜図６において、（ａ）は、タッチ入力装置１００が感知した圧力の大きさを相対的に示すバー（bar）であり、（ｂ）は、画面１１００の明るさ（luminosity）を相対的に示すバー（bar）である。
【００６９】
図３は、タッチ入力装置１００の画面１１００が消えた状態に維持されている最中に、ユーザの指ｏｂが画面１１００上のタッチ入力装置１００の表面を押圧している様子を仮定したものであり、このような状況でタッチ入力装置１００が感知した圧力の大きさＰが臨界値Ｐ１未満である場合を示す。
【００７０】
図３を参照すると、タッチ入力装置１００で感知された圧力の大きさＰがタッチ入力装置１００にあらかじめ設定された臨界値Ｐ１未満であるため、タッチ入力装置１００は画面１１００を消えた状態に維持する。
【００７１】
図４は、図３に示された状況が維持されている最中に、ユーザの指ｏｂが画面１１００上のタッチ入力装置１００の表面をさらに強く押圧した様子を仮定したものであり、このような状況でタッチ入力装置１００が感知した圧力の大きさＰが臨界値Ｐ１と同じ場合を示す。
【００７２】
図４を参照すると、タッチ入力装置１００で感知された圧力の大きさＰがタッチ入力装置１００にあらかじめ設定された臨界値Ｐ１と同じであるため、タッチ入力装置１００は画面１１００をあらかじめ設定された第１の明るさＬ１に点けて、あらかじめ設定された情報である時計画面を表示する。ここで、臨界値Ｐ１は第１の明るさＬ１と対応する。
【００７３】
図５は、図４に示された状況が維持されている最中に、ユーザの指ｏｂが画面１１００上のタッチ入力装置１００の表面をさらに強く押圧した姿を仮定したものであり、このような状況でタッチ入力装置１００が感知した圧力の大きさＰが臨界値Ｐ１を超過した場合を示す。
【００７４】
図５を参照すると、タッチ入力装置１００で感知された圧力の大きさＰがタッチ入力装置１００にあらかじめ設定された臨界値Ｐ１を超過するので、タッチ入力装置１００は画面１１００を第１の明るさＬ１より相対的にさらに明るい第２の明るさＬ２に点けて、あらかじめ設定された情報である時計画面を、図４に示された場合よりさらに明るく表示する。ここで、感知された圧力の大きさＰは、第２の明るさＬ２と対応する。
【００７５】
ここで、タッチ入力装置１００で感知された圧力の大きさＰが臨界値Ｐ１を超過する瞬間から図５に示された瞬間まで至るにあたって、タッチ入力装置１００は画面１１００の明るさを第１の明るさＬ１から第２の明るさＬ２に徐々に増加させることができる。すなわち、タッチ入力装置１００は、感知される圧力の大きさＰに対応して画面１１００の明るさを連続して調節することができる。
【００７６】
また、タッチ入力装置１００で感知された圧力の大きさＰが臨界値Ｐ１を超過する瞬間から図５に示された瞬間の直前まで至るにあたって、タッチ入力装置１００は画面１１００の明るさを第１の明るさＬ１に維持し、図５に示された瞬間に至れば画面１１００の明るさを第２の明るさＬ２に調節することができる。すなわち、タッチ入力装置１００は感知される圧力の大きさＰに対応して画面１１００の明るさを離散的に調節することができる。
【００７７】
図６は、図５に示された状況が維持されている最中に、ユーザの指ｏｂが画面１１００上のタッチ入力装置１００の表面をさらに強く押圧した様子を仮定したものであり、このような状況でタッチ入力装置１００が感知した圧力の大きさＰ’が図５に示された以前の圧力の大きさＰを超過した場合を示す。
【００７８】
図６を参照すると、タッチ入力装置１００で感知された圧力の大きさＰ’がタッチ入力装置１００にあらかじめ設定された臨界値Ｐ１と以前の圧力の大きさＰを超過するので、タッチ入力装置１００は画面１１００を第２の明るさＬ２より相対的にさらに明るい第３の明るさＬ３に点けて、あらかじめ設定された情報である時計画面を図５に示された場合よりさらに明るく表示する。ここで、感知された圧力の大きさＰは、第３の明るさＬ３と対応する。
【００７９】
ここで、タッチ入力装置１００で感知された圧力の大きさＰ’が以前の圧力の大きさＰを超過する瞬間から図６に示された瞬間まで至るにあたって、タッチ入力装置１００は画面１１００の明るさを第２の明るさＬ２から第３の明るさＬ３に徐々に増加させることができる。すなわち、タッチ入力装置１００は感知される圧力の大きさＰ’に対応して画面１１００の明るさを連続して調節することができる。
【００８０】
また、タッチ入力装置１００で感知された圧力の大きさＰ’が以前の圧力の大きさＰを超過する瞬間から図６に示された瞬間の直前まで至るにあたって、タッチ入力装置１００は画面１１００の明るさを第２の明るさＬ２に維持し、図６に示された瞬間に至れば画面１１００の明るさを第３の明るさＬ３に調節することができる。すなわち、タッチ入力装置１００は、感知される圧力の大きさＰに対応して画面１１００の明るさを離散的に調節することができる。
【００８１】
図４〜図６に示されたように、タッチ入力装置１００が感知した圧力の大きさが臨界値Ｐ１以上である場合に、タッチ入力装置１００は時計画面を画面１１００に表示し、感知される圧力の大きさに対応して画面１１００の明るさを調節する。
【００８２】
図４〜図６に示された各状況において、ユーザの指ｏｂがタッチ入力装置１００の表面から離れることになれば、タッチ入力装置１００は画面１１００を図３に示されたように消えるように制御することができる。ここで、ユーザの指ｏｂがタッチ入力装置１００の表面から離れるとは、タッチ入力装置１００がタッチの位置が感知されないことを意味することができる。
【００８３】
一方、図４〜図６に示された各状況において、ユーザの指ｏｂがタッチ入力装置１００の表面から離れれば、あらかじめ設定された時間以降に、タッチ入力装置１００は画面１１００を図３に示されたように消えるように制御することができる。
【００８４】
ここで、あらかじめ設定された時間は、「リリース動作時間」直前に感知された圧力の大きさに基づいてタッチ入力装置１００が決定することができる。リリース動作時間とは、ユーザの指ｏｂがタッチ入力装置１００の表面を押圧している任意の時間からユーザの指ｏｂがタッチ入力装置１００の表面から離れる動作が遂行される時間を意味することができる。タッチ入力装置１００は、任意の時点を基準として、任意の時点前に圧力の大きさが減る様相と任意の時点後に圧力の大きさが減る様相とが異なる場合に、任意の時点からタッチの位置が感知されない時点までをリリース動作時間と判断することができる。又は、圧力の大きさが急激に減った時点からタッチの位置が感知されない時点までをリリース動作時間と判断することができる。
【００８５】
例えば、タッチ入力装置１００は、リリース動作時間の直前に感知された圧力の大きさが図５に示されたＰである場合には、第１の時間経過後の画面１１００が消え、反面、リリース動作時間の直前に感知された圧力の大きさが図６に示されたＰ’である場合には、第１の時間よりさらに長い第２の時間経過後の画面１１００が消えるように制御することができる。
【００８６】
また、図４〜図６に示された各状況において、ユーザの指ｏｂがタッチ入力装置１００の表面から離れる瞬間までは、タッチ入力装置１００は画面１１００の明るさが減るように制御することができる。
【００８７】
一方、図６に示された状況において、タッチ入力装置１００が感知した圧力の大きさが徐々に増加してタッチ入力装置１００が感知できる最大圧力値に到達した以降にもタッチ入力装置１００は画面１１００の明るさを増加させることができる。ユーザは、タッチ入力装置１００が測定できる最大圧力値以上でタッチ入力装置１００の表面を押圧することができる。ユーザが最大圧力値以上でタッチ入力装置１００の表面を押圧するとは、画面１１００をさらに明るく表示しようとする意図であるかもしれないので、タッチ入力装置１００は、最大圧力値が維持される時間を測定し、測定される時間に対応して画面１１００の明るさを調節することができる。例えば、最大圧力値が維持される時間が増えれば増えるほど、画面１１００の明るさを徐々にさらに増加させることができる。
【００８８】
一方、タッチ入力装置１００は、感知される圧力の大きさに基づいて、画面１１００の明るさと共に情報の大きさも調節することができる。具体的に、図７を参照して説明する。
【００８９】
図７は、他の実施形態によるタッチ入力装置１００の制御方法を説明するための図面である。
【００９０】
図７は、図６に示された状況が維持されている最中に、ユーザの指ｏｂが画面１１００上のタッチ入力装置１００の表面をさらに強く押圧した様子を仮定したものであり、このような状況でタッチ入力装置１００が感知した圧力の大きさＰ’’が図６に示された以前の圧力の大きさＰ’を超過した場合を示す。
【００９１】
図７を参照すると、タッチ入力装置１００で感知された圧力の大きさＰ’’がタッチ入力装置１００にあらかじめ設定された臨界値Ｐ１、以前の圧力の大きさＰ，Ｐ’を超過するので、タッチ入力装置１００は画面１１００を第３の明るさＬ３より相対的にさらに明るい第４の明るさＬ４に点けて、あらかじめ設定された情報である時計画面を図６に示された場合よりさらに明るく表示し、時計画面を拡大させることができる。ここで、感知された圧力の大きさＰ’’は第４の明るさＬ４と対応する。
【００９２】
一方、図７に示された例において、タッチ入力装置１００は画面１１００の明るさを調節せずに、時計画面だけを拡大させることができる。すなわち、画面１１００の明るさが図６に示された例において最大に明るく表示された場合に、追加的な圧力の増加に対応して時計画面のみを拡大させることができる。これとは対照的に、時計画面のみを縮小させることもできる。
【００９３】
一方、先に説明した図４〜図６の状況において、タッチ入力装置１００で感知される圧力の大きさが増加すれば、タッチ入力装置１００は増加する圧力の大きさに対応して画面１１００の明るさを調節すると共に、時計画面を図７のように拡大させる調節をすることができる。これとは対照的に、画面１１００の明るさを調節すると共に、時計画面を縮小させることもできる。
【００９４】
また、先に説明した図４〜図６の状況において、タッチ入力装置１００で感知される圧力の大きさが増加すれば、タッチ入力装置１００は増加する圧力の大きさに対応して画面１１００の明るさを調節せずに、時計画面を図７のように拡大させる調節をすることもできる。
【００９５】
先に、図４〜図７に示された例は、ユーザの一つの指ｏｂがタッチ入力装置１００に入力されるワンタッチの状況を例示したものである。しかし、実施形態はこれに限定されるわけではなく、ユーザの二つ以上の指がタッチ入力装置１００に入力されるマルチタッチにも適用され得る。
【００９６】
例えば、図４に図示された状況において、ユーザの二つの指がタッチ入力装置１００に入力されれば、タッチ入力装置１００は２以上のタッチである、マルチタッチそれぞれの圧力の大きさを感知する。そして、タッチ入力装置１００はマルチタッチの圧力の大きさを基に消えた画面１１００を点けて、あらかじめ設定された情報である時計画面を表示することができる。
【００９７】
ここで、タッチ入力装置１００は、マルチタッチの圧力の大きさのうちの最も大きい圧力の大きさが臨界値Ｐ１に該当すれば、図４のように画面１１００に時計情報を表示することができ、臨界値Ｐ１を超過すれば超過した圧力の大きさに対応して図５又は図６に示されたように画面１１００の明るさを調節することができる。
【００９８】
また、タッチ入力装置１００は、マルチタッチの圧力の大きさを合算し、合算された圧力の大きさが臨界値Ｐ１に該当すれば、図４のように画面１１００に時計情報を表示することができ、臨界値Ｐ１を超過すれば超過した圧力の大きさに対応して図５又は図６に示されたように画面１１００の明るさを調節することができる。
【００９９】
ここで、タッチ入力装置１００は、マルチタッチの圧力の大きさを基に消えた画面１１００を点けて、あらかじめ設定された情報である時計画面を表示できるが、これに限定されず、時計画面でない他の情報を画面１１００に表示することができる。例えば、タッチ入力装置１００は、マルチタッチの場合に、図８に示されたように、入力されるマルチタッチの圧力の大きさに基づいて、時計情報でない天気情報を画面１１００に表示することができる。さらに、図５〜図６に示されたように、入力されるマルチタッチの圧力の大きさに対応して天気情報を表示する画面１１００の明るさを調節することができる。
【０１００】
先に、図４〜図７に示された例は、タッチ入力装置１００の表面に接触するユーザの指ｏｂの位置を考慮しないものである。すなわち、ユーザがタッチ入力装置１００の表面のどの位置を押圧しても図４〜図７に示された例が遂行される。しかし、このような方式は、ユーザの指ｏｂが画面１１００に表示される情報を遮ることがあるという問題がある。
【０１０１】
したがって、タッチ入力装置１００は、感知されるタッチの位置を考慮して画面１１００に表示される情報を調節することができる。例えば、タッチ入力装置１００は、ユーザの指ｏｂのタッチ位置を感知し、該タッチ位置で感知される圧力の大きさが臨界値以上であれば、画面１１００を点けてあらかじめ設定された情報を表示するものの、表示される情報がタッチ位置と重ならないように表示することができる。
【０１０２】
図９は、実施形態によるタッチ入力装置１００の制御方法を説明するためのフローチャートである。
【０１０３】
図９を参照すると、実施形態によるタッチ入力装置１００の制御方法は、感知段階Ｓ９１０、判別段階Ｓ９２０、情報表示段階Ｓ９３０、及び画面調節段階Ｓ９４０を含む。
【０１０４】
感知段階Ｓ９１０は、タッチ入力装置１００の画面１１００が消えている状態において、タッチ入力装置１００の表面に入力されるタッチの圧力の大きさを感知する。
【０１０５】
感知段階Ｓ９１０は、図１に示されたタッチ入力装置１００のディスプレイ部１５１と制御部１８０で遂行され得る。
【０１０６】
ディスプレイ部１５１に含まれた圧力感知部がタッチ入力装置１００の表面に入力されるタッチの圧力を感知して所定の電気的信号を出力し、制御部１８０が圧力感知部から出力される電気的信号に基づいて圧力の大きさを算出することができる。
【０１０７】
ディスプレイ部１５１に含まれた圧力感知部は圧力センサとコントローラを含み得るが、圧力センサはタッチ入力装置１００の表面に入力されるタッチの圧力を感知して所定の信号を出力し、コントローラは圧力センサから出力される電気的信号を処理して所定のデータを出力し、制御部１８０がコントローラから出力されるデータに基づいて圧力の大きさを算出することができる。
【０１０８】
圧力センサは、ディスプレイ部１５１に含まれたディスプレイパネルに配置されてもよい。タッチ入力装置１００の表面に入力されるタッチによりディスプレイパネルが撓み、ディスプレイパネルの撓みによって変化する電気的信号を出力する。例えば、圧力センサは、静電容量方式の電極であってもよく、ストレインゲージであってもよい。
【０１０９】
判別段階Ｓ９２０は、感知段階Ｓ９１０で感知される圧力の大きさが臨界値以上であるか否かを判別する。このような判別は、図１に示された制御部１８０で遂行され得る。制御部１８０は、あらかじめ設定されて格納された臨界値と感知された圧力の大きさとを比較して判別することができる。ここで、臨界値は、図１に示されたメモリ１４０に格納されたものであってもよい。メモリ１４０に格納された臨界値は、ユーザやメーカーによって修正されてもよい。
【０１１０】
情報表示段階Ｓ９３０は、感知される圧力の大きさが臨界値以上であれば、画面１１００にあらかじめ設定された情報を表示する。このような情報表示は、制御部１８０とディスプレイ部１５１によって遂行されてもよい。制御部１８０は、感知される圧力の大きさが臨界値に至れば、あらかじめ設定された情報がディスプレイ部１５１を介して表示されるようにディスプレイ部１５１を制御することができる。あらかじめ設定された情報は、図４に示された時計画面であってもよく、図８に示された天気画面であってもよい。あらかじめ設定された情報はリアルタイム情報を含むので、図１に示された無線通信部１１０を介して提供される情報によるものであってもよい。
【０１１１】
画面調節段階Ｓ９４０は、画面１１００に情報が表示されている状態において、感知される圧力の大きさに基づいて画面１１００の明るさを調節する。
【０１１２】
画面調節段階Ｓ９４０は、図４〜図６に示されたように遂行されてもよい。したがって、図４〜図６で説明した様々な実施形態が画面調節段階Ｓ９４０において制御部１８０により制御されてもよい。
【０１１３】
このような画面明るさの調節は、制御部１８０とディスプレイ部１５１により遂行されてもよい。制御部１８０は、感知される圧力の大きさが臨界値を超過すれば、該圧力の大きさに対応する明るさで画面１１００が表示されるように制御する。ここで、圧力の大きさと画面の明るさ情報は、図１に示されたメモリ１４０にテーブル形態で格納されたものであってもよく、あらかじめ格納されるか又は設定された特定の数式によって圧力の大きさによる明るさが決定されてもよい。
【０１１４】
図９を参照すると、判別段階Ｓ９２０で感知される圧力の大きさが臨界値未満であれば、制御部１８０は消えた画面１１００がそのまま維持されるように制御することができる。
【０１１５】
別途の図面で表示しなかったが、感知段階Ｓ９１０ではタッチ入力装置１００の表面に入力されるタッチの種類とタッチの位置を共に感知することができる。
【０１１６】
感知段階Ｓ９１０では、タッチの種類としてワンタッチとマルチタッチを感知することができる。マルチタッチである場合、情報表示段階Ｓ９３０で図８のようにワンタッチの場合と異なる情報を表示することができる。
【０１１７】
感知段階Ｓ９１０では、タッチの位置を感知することができる。情報表示段階Ｓ９３０で感知されたタッチの位置を考慮して表示される情報をタッチ位置と重ならないように画面１１００に表示することができる。
【０１１８】
別途の図面で表示しなかったが、画面調節段階Ｓ９４０で画面１１００の明るさ調節と共に画面１１００に表示された情報の大きさも調節することができる。例えば、画面１１００に表示された情報を感知された圧力の大きさに基づいて図７に示されたように拡大したり反対に縮小したりすることができる。
【０１１９】
以上において、実施形態に説明された特徴、構造、効果などは、本発明の一つの実施形態に含まれ、必ずしも一つの実施形態にのみ限定される訳ではない。さらに、各実施形態において例示された特徴、構造、効果などは、実施形態が属する分野における通常の知識を有する者によって、他の実施形態に対しても組み合わせ又は変形されて実施可能である。したがって、このような組み合わせや変形に関係した内容は、本発明の範囲に含まれるものと解釈されるべきである。
【０１２０】
また、以上において実施形態を中心に説明したが、これは単に例示に過ぎず、本発明を限定する訳ではなく、本発明が属する分野における通常の知識を有する者であれば、本実施形態の本質的な特徴を外れない範囲で、以上に例示されない様々な変形と応用が可能であることが分かるはずである。例えば、実施形態に具体的に示された各構成要素は、変形して実施することができるものである。そして、このような変形と応用に係る相違点は、添付の特許請求の範囲において規定する本発明の範囲に含まれるものと解釈されるべきである。
【符号の説明】
【０１２１】
１００        タッチ入力装置
１１００      画面
【図１】
2018160239.tif 000003
【図２】
2018160239.tif 000004
【図３】
2018160239.tif 000005
【図４】
2018160239.tif 000006
【図５】
2018160239.tif 000007
【図６】
2018160239.tif 000008
【図７】
2018160239.tif 000009
【図８】
2018160239.tif 000010
【図９】
2018160239.tif 000011